(57)【特許請求の範囲】
【請求項１】
電源回路基板を収容するケースと、
前記ケースに形成され、前記ケースの外側に向かって第１の方向において開いている通気口と、
前記通気口に設けられ、前記第１の方向に交差する第２の方向において間隔を空けて並び、それぞれが前記第１の方向に対して傾斜し且つ前記ケースの外側に向かって前記第２の方向の一方側に傾斜している複数のルーバーと、
前記通気口の縁の一部である、前記第２の方向の一方側に位置する第１の縁部と、
前記複数のルーバーのうち前記第２の方向における一方側の端部に位置するルーバーであって、前記通気口の前記第１の縁部よりも前記ケースの内側に位置し、前記通気口の前記第１の縁部から前記第１の方向において離れている第１の端ルーバーと、
前記ケース内の空気流路であって、前記第１の端ルーバーに対して前記第２の方向における一方側に形成され、且つ、前記通気口の前記第１の縁部と前記第１の端ルーバーとの間とを通って前記ケースの外側に連通している第１の空気流路と、
を備えることを特徴とする電子機器。
【請求項２】
請求項１に記載の電子機器において、
前記第１の端ルーバーは前記通気口の前記第１の縁部と前記第１の方向において重なるように位置している、
ことを特徴とする電子機器。
【請求項３】
請求項１又は２に記載の電子機器において、
前記通気口の縁の他の一部である、前記第２の方向の他方側に位置する第２の縁部と、
前記複数のルーバーのうち前記第２の方向における他方の端部に位置するルーバーであって、前記通気口の前記第２の縁部よりも前記ケースの内側に位置し、前記通気口の前記第２の縁部から前記第１の方向において離れている第２の端ルーバーと、
前記ケース内の空気流路であって、前記第２の端ルーバーに対して前記第２の方向における他方側に形成される第２の空気流路と、をさらに備える、
ことを特徴とする電子機器。
【請求項４】
請求項１乃至３のいずれかに記載の電子機器において、
前記ケースは、前記第１の端ルーバーとの間に前記第１の空気流路を形成する第１の壁部と、前記第２の方向において前記第１の壁部とは反対側に位置する第２の壁部とを有し、
前記電源回路基板は、前記第１の壁部と前記第２の壁部の双方から離れて位置している、
ことを特徴とする電子機器。
【請求項５】
請求項４に記載の電子機器において、
前記第２の壁部は前記第１の壁部に比して前記ケースの外側に向かって大きく張り出している、
ことを特徴とする電子機器。
【請求項６】
請求項１乃至５のいずれかに記載の電子機器において、
前記ケースを収容するハウジングをさらに備え、
前記ハウジングには前記ケースの通気口の縁が内側に嵌る開口が形成されている、
ことを特徴とする電子機器。
【請求項７】
請求項１乃至６のいずれかに記載の電子機器において、
前記通気口には、前記第２の方向において立ち前記複数のルーバーを支持する支持壁部が設けられ、
前記支持壁部は前記複数のルーバーを越えて前記ケースの外側に向かって張り出している、
ことを特徴とする電子機器。
【発明の詳細な説明】
【技術分野】
【０００１】
本発明は電子機器が備える電源回路基板を冷却するための構造に関する。
【背景技術】
【０００２】
下記特許文献１の電子機器は、電子機器のハウジング内に配置され且つ電源回路基板を収容するケースを備えている。ケースの前壁には吸気穴が形成され、ケースの後壁には排気口が形成されている。冷却ファンから送り出された空気は、吸気穴からケースの内側に取り込まれ、ケースの排気口から外部に排出される。排気口には、この排気口を通して電源回路基板が露出するのを防ぐためのルーバーが設けられている。
【先行技術文献】
【特許文献】
【０００３】
【特許文献１】米国特許出願公開第２０１０／０２５４０８６号明細書
【発明の概要】
【発明が解決しようとする課題】
【０００４】
電源回路基板を効率的に冷却するためには、ケースの通気効率、すなわち排気効率や吸気効率が高い方が望ましい。
【０００５】
本発明の目的は、電源回路基板を収容するケース内を流れる空気の通気効率を向上できる電子機器を提供することにある。
【課題を解決するための手段】
【０００６】
本発明に係る電子機器は、電源回路基板を収容するケースと、前記ケースに形成され、前記ケースの外側に向かって第１の方向において開いている通気口と、前記通気口に設けられ、前記第１の方向に交差する第２の方向において間隔を空けて並び、それぞれが前記第１の方向に対して傾斜し且つ前記ケースの外側に向かって前記第２の方向の一方側に傾斜している複数のルーバーと、前記通気口の縁の一部である、前記第２の方向の一方側に位置する第１の縁部と、前記複数のルーバーのうち前記第２の方向における一方側の端部に位置するルーバーであって、前記通気口の前記第１の縁部よりも前記ケースの内側に位置し、前記通気口の前記第１の縁部から前記第１の方向において離れている第１の端ルーバーと、前記ケース内の空気流路であって、前記第１の端ルーバーに対して前記第２の方向における一方側に形成され、且つ、前記通気口の前記第１の縁部と前記第１の端ルーバーとの間とを通って前記ケースの外側に連通している第１の空気流路と、を備える。この電子機器によれば、ケース内を流れる空気の通気効率を向上できる。また、第１の端ルーバーは、通気口の第１の縁部に対して、通気口が開いた方向である第１の方向に位置しているので、通気口の第１の縁部と第１の端ルーバーの高さが概ね同じになり、その結果、通気口を通して電源回路基板が露出することを抑えることができる。
【図面の簡単な説明】
【０００７】
【図１】本発明の実施形態に係る電子機器の平面図である。
【図２】図１に示すＩＩ−ＩＩ線での断面図である。
【図３】電子機器の背面図である。
【図４】電子機器が備える電源ユニットの分解斜視図である。
【図５】電源ユニットの斜視図である。
【図６】図２の要部を示す断面図である。
【図７】下ハウジングの要部を示す平面図である。
【発明を実施するための形態】
【０００８】
以下、本発明の一実施形態について図面を参照しながら説明する。図１は本発明の実施形態に係る電子機器１の平面図である。図２は図１に示すＩＩ−ＩＩ線での断面図である。図３は電子機器１の背面図である。図４は電子機器１が備える電源ユニット１０の分解斜視図である。図５は電源ユニット１０の斜視図である。図６は図２の要部を示す断面図である。以下の説明においては、これらの図に示すＸ１及びＸ２をそれぞれ左方向及び右方向とし、Ｙ１及びＹ２をそれぞれ前方及び後方とし、Ｚ１及びＺ２をそれぞれ上方及び下方とする。
【０００９】
電子機器１は光ディスクなどの記録媒体に格納されたプログラムを実行したり、記録媒体に格納された動画像データを再生するエンタテインメント装置である。図１に示すように、電子機器１は冷却ユニット５０と電源ユニット１０とを有している。また、電子機器１は記録媒体の読み取り装置（例えば、ディスクドライブ、不図示）を備えている。電子機器１はこれらの装置を収容するハウジング６０を有している。図２に示すように、この例のハウジング６０はこれらの装置の上側を覆う上ハウジング６１と、これらの装置の下側に配置される下ハウジング６２とを有している。上ハウジング６１と下ハウジング６２は上下方向において組み合わされている。ハウジング６０の下部には、電子機器１を制御する集積回路（不図示）などの電子部品が実装された回路基板３が配置されている。回路基板３の上面は金属の板材である上シャーシ２によって覆われている。上シャーシ２は回路基板３の上面に取り付けられている。冷却ユニット５０と電源ユニット１０は上シャーシ２上に配置されている。また、この例の電子機器１は、回路基板３の下面を覆う下シャーシ４を備えている。下シャーシ４も回路基板３に取り付けられている。
【００１０】
図２に示すように、冷却ユニット５０は冷却ファン５１を有している。冷却ファン５１はその回転中心線Ｃ１が回路基板３に対して垂直となるように配置されている。冷却ファン５１の底部は上シャーシ２に取り付けられている。冷却ファン５１は複数のフィン５１ａを有している。冷却ユニット５０はヒートシンクを有している。この例の冷却ユニット５０は、図１に示すように、左右に並ぶ第１ヒートシンク５２と第２ヒートシンク５３とを有している。ヒートシンク５２，５３は冷却ファン５１の半径方向に配置されている。この例では、第１ヒートシンク５２は冷却ファン５１の後方に配置され、第２ヒートシンク５３は冷却ファン５１に対して後方且つ右方向に位置している。ヒートシンク５２，５３は回路基板３に実装された集積回路を冷却するためのヒートシンクである。この例の第１ヒートシンク５２はヒートパイプ１３（図２参照）を通して集積回路に繋がっている。
【００１１】
図２に示すように、冷却ユニット５０は、冷却ファン５１とヒートシンク５２，５３を覆うカバー５４を有している。カバー５４によって冷却ファン５１からヒートシンク５２，５３に至る空気流路が規定される。詳細には、カバー５４には、冷却ファン５１の上方に位置する開口５４ａが形成されている。また、冷却ファン５１が配置される上述した上シャーシ２には、冷却ファン５１の下方に位置する複数の通気穴２ａが形成されている。冷却ファン５１が回転すると、空気は開口５４ａ及び通気穴２ａを通して冷却ファン５１に向かって吸い込まれ、冷却ファン５１からその半径方向の外方に送り出される。カバー５４は冷却ファン５１とヒートシンク５２，５３を囲む壁部を有しており、カバー５４の内側に冷却ファン５１から出た空気の流路が形成される。図１及び図２においてＦ１はカバー５４内に形成される空気流の例を示している。この例のカバー５４は、図１及び図２に示すように、その前側に、冷却ファン５１の外周に沿って湾曲した壁部５４ｂを有しており、壁部５４ｂと冷却ファン５１との間に、冷却ファン５１の外周に沿った空気流路Ｓ１が形成される。空気流路Ｓ１を流れる空気は第２ヒートシンク５３に送られる。また、カバー５４の内側には、冷却ファン５１から後方に流れ出る空気流が形成される。この空気流は空気流路Ｓ１を経由することなく、ヒートシンク５２，５３に送られる。
【００１２】
図２及び図３に示すように、電源ユニット１０は電源回路基板１１を有している（これらの図では電源回路を構成する電子部品は省略されている）。電源回路基板１１には外部電源に接続される電源インレット１２が接続されている（図４参照）。電源回路基板１１は電子機器１が備える種々の装置や回路の動作電圧を外部電源から生成する。図２に示すように、電源ユニット１０は電源回路基板１１を収容するケース２０を有している。ケース２０はカバー５４に接続されている。詳細には、カバー５４はケース２０に向かって開口している。この例では、カバー５４は後方に開口している。ケース２０はカバー５４に対応したサイズの開口が形成された箱状である。カバー５４の後縁（開口の縁）５４ｃとケース２０に形成された開口の縁２０ｅとが接続されている。この例のケース２０は、カバー５４よりも大きな左右方向の幅を有している（図１参照）。したがって、カバー５４に接続されるケース２０の開口は、ケース２０の前壁の一部に形成されている。ケース２０の内側には、カバー５４で形成される空気流路に続く空気流路Ｓ２，Ｓ３が形成される。
【００１３】
図２に示すように、ケース２０にはケース２０の外側に向かって開いた前後方向において排気口２１（請求項における通気口）が形成されている。排気口２１は、カバー５４とは反対側に位置するケース２０の壁部に形成されている。この例では、排気口２１はケース２０の後壁に形成され、ケース２０の後側に向かって開いている。この例の排気口２１はケース２０の後壁の概ね全域に形成され、左右方向に細長い矩形である（図３及び図５参照）。排気口２１の左右方向の幅は、カバー５４の後端の開口の幅Ｗ４（図１参照）よりも大きい。そのため、ケース２０内の空気流Ｆ２は、図１に示すように、左右方向に広がる。これにより、電源回路基板１１の全体に空気を通過させることができる。
【００１４】
図２に示すように、ケース２０はハウジング６０に収容されている。ハウジング６０の後壁には排気口２１に対応したサイズの開口６０ｂが形成されている。排気口２１の周縁は開口６０ｂの内側に嵌っている（排気口２１の周縁は、図５に示す下縁２１ａ、上縁２１ｂ及び側縁２１ｃの全体である。）。そのため、空気が排気口２１から排出されることは、空気がハウジング６０から排出されることを意味する。このような構造により、空気の排気効率の向上が図られている。なお、上ハウジング６１と下ハウジング６２とには互いに対向する凹部６１ａ，６２ａが形成されており（図３参照）、この凹部６１ａ，６２ａが、排気口２１の周縁が嵌る開口６０ｂを構成している。
【００１５】
図６に示すように、排気口２１には複数のルーバー２２が設けられている。複数のルーバー２２は、排気口２１が開いた方向（この例では前後方向）に対して交差する方向において、間隔を空けて並んでいる。この例では、ルーバー２２は前後方向に対して直交する方向に並んでいる。具体的には、ルーバー２２は上下方向に並んでいる。複数のルーバー２２は後述する下端ルーバー２２Ａと上端ルーバー２２Ｂとを含んでいる。以下の説明では、下端ルーバーについて特に言及する場合には符号２２Ａを使用し、その他の場合には下端ルーバーについても符号２２を使用する。同様に、上端ルーバーについて特に言及する場合には符号２２Ｂを使用し、その他の場合には上端ルーバーについても符号２２を使用する。
【００１６】
図６に示すように、各ルーバー２２は前後方向に対して傾斜している。詳細には、各ルーバー２２はケース２０の後側に向かって下方に傾斜している。ルーバー２２は前後方向において互いに反対側に位置する２つの縁２２ａ，２２ｂを有している。一方の縁２２ａ（以下、内側縁）は他方の縁２２ｂ（以下、外側縁２２ｂ）よりもケース２０の内方に位置している。ルーバー２２の傾斜により、外側縁２２ｂは内側縁２２ａよりも下方に位置している。このようなルーバー２２の傾斜により、排気口２１を通して電源回路基板１１が露出することを抑えることができている。なお、ルーバー２２が傾斜する方向は以上説明した形態に限られない。例えば、ルーバー２２は外側縁２２ｂが内側縁２２ａよりも上方に位置するように傾斜してもよい。
【００１７】
上下方向において隣接する２つのルーバー２２は、前後方向において部分的に重なるように配置されている。この例では、図６に示すように、２つのルーバー２２のうち一方のルーバー２２の外側縁２２ｂを通る前後方向に沿った直線Ｌ３は、他方のルーバー２２の内側縁２２ａを通っている。これにより、排気口２１を通して電源回路基板１１が露出することを効果的に抑えることができる。
【００１８】
図６に示すように、複数のルーバー２２は、その１つとして、下端ルーバー２２Ａを有している。下端ルーバー２２Ａは複数のルーバー２２の下端に位置するルーバーである。下端ルーバー２２Ａは、排気口２１の周縁の下側部分（すなわち下縁２１ａ）よりもケース２０の内側に位置し、且つ、下縁２１ａから前後方向において離れている。すなわち、この例の下端ルーバー２２Ａは排気口２１の下縁２１ａから前方に離れている。下端ルーバー２２Ａの外側縁２２ｂと、排気口２１の下縁２１ａとの間には隙間が形成されている。ケース２０は、下端ルーバー２２Ａの下側に、空気流路Ｓ２ａを有している。ケース２０は、後において詳説するように、その底部を構成する底壁部２３を有している。底壁部２３は下端ルーバー２２Ａから下方に離れて位置し、それらの間に空気流路Ｓ２ａが形成されている。空気流路Ｓ２ａは、下端ルーバー２２Ａと排気口２１の下縁２１ａとの間を通ってケース２０の外側と連通している。これにより、ケース２０の排気効率を向上できる。この例の排気口２１の周縁は、上述したように、ハウジング６０の開口６０ｂの内側に嵌っている。そのため、空気流路Ｓ２ａはハウジング６０の外側に連通している。
【００１９】
下端ルーバー２２Ａは、上述したように、排気口２１の下縁２１ａから、排気口２１が開いた方向（前後方向）において離れている。すなわち、下端ルーバー２２Ａは排気口２１の下縁２１ａと概ね同じ高さに位置している。そのため、排気口２１を通して電源回路が露出することを抑えることができる。この例の下端ルーバー２２Ａは、図６に示すように、排気口２１の下縁２１ａと前後方向において重なっている。すなわち、下縁２１ａを通る前後方向に沿った直線は下端ルーバー２２Ａも通っている。そのため、下端ルーバー２２Ａと下縁２１ａとの間から電源回路基板１１が露出することを確実に抑えることができる。この例では、下端ルーバー２２Ａの外側縁２２ｂは、排気口２１の下縁２１ａと概ね同じ高さに位置し、且つ、下縁２１ａからケース２０の内側に向かって離れている。
【００２０】
下端ルーバー２２Ａは他のルーバー２２とは異なる形状を有し、これにより、下端ルーバー２２Ａの下方に位置するケース２０の底壁部２３から、下端ルーバー２２Ａまでの距離Ｄ１が大きくなっている。具体的には、下端ルーバー２２Ａが外側縁２２ｂにおいて有する上下方向の幅は、他のルーバー２２が外側縁２２ｂにおいて有する上下方向の幅よりも小さい。換言すると、下端ルーバー２２Ａは、他のルーバー２２と比較した場合に、外側縁２２ｂの下側部分がカットされた形状を有している。これにより、空気流路Ｓ２ａの上下方向の幅を大きくでき、排気効率をさらに向上できる。
【００２１】
図６に示すように、複数のルーバー２２は、その一つとして、上端ルーバー２２Ｂを含んでいる。上端ルーバー２２Ｂは複数のルーバー２２の上端に位置するルーバーである。ケース２０は、上端ルーバー２２Ｂの上側に、空気流路Ｓ３ａを有している。ケース２０は上述の底壁部２３と対向する上壁部２４を有している。上端ルーバー２２Ｂは上壁部２４から下方に離れて位置し、上壁部２４と上端ルーバー２２Ｂとの間の隙間が空気流路Ｓ３ａとして機能している。空気流路Ｓ３ａは、上端ルーバー２２Ｂと、排気口２１の周縁の上側部分（すなわち上縁２１ｂ）との間を通ってケース２０の外側と連通している。
【００２２】
上端ルーバー２２Ｂは上縁２１ｂから前後方向において離れて位置している。つまり、上縁２１ｂは上端ルーバー２２Ｂと概ね同じ高さに位置している。そのため、空気流路Ｓ３ａを通して電源回路基板１１が露出することを効果的に抑えることができる。この例の上端ルーバー２２Ｂは、図６に示すように、排気口２１の上縁２１ｂと前後方向において重なっている。そのため、上端ルーバー２２Ｂと排気口２１の上縁２１ｂとの間から電源回路基板１１が露出することを確実に抑えることができる。また、上端ルーバー２２Ｂは、排気口２１の上縁２１ｂよりもケース２０の内側に位置している。換言すると、上縁２１ｂは上端ルーバー２２Ｂ及び他のルーバー２２よりも後方に位置している。これにより、下端ルーバー２２Ａと通気口２１の下縁２１ａとの隙間が上壁部２４によって覆われることとなる。その結果、その隙間から塵等が入ることを抑えることができる。
【００２３】
図４に示すように、この例のケース２０は上ケース２０Ａと下ケース２０Ｂとを有している。上ケース２０Ａと下ケース２０Ｂは上下方向において組み合わされる。この例では、上ケース２０Ａの外周部と下ケース２０Ｂの外周部とには、複数の取付穴２０ａ，２０ｂがそれぞれ形成され、これら取付穴２０ａ，２０ｂに嵌められる螺子（不図示）によって上ケース２０Ａと下ケース２０Ｂは互いに固定される。この例では、ルーバー２２及び後述する支持壁部２６は、上ケース２０Ａに設けられている。
【００２４】
下ケース２０Ｂはケース２０の底部を構成する、上述した底壁部２３を有している。図６に示すように、上述した空気流路Ｓ２ａは底壁部２３と下端ルーバー２２Ａとの間に形成されている。底壁部２３は傾斜部２３ａを有している。傾斜部２３ａは排気口２１の下縁２１ａに向かって傾斜している。この例では、排気口２１の下縁２１ａは底壁部２３よりも上方に位置しており、傾斜部２３ａは排気口２１の下縁２１ａに向かって斜め上方に延びている。この傾斜部２３ａによれば、空気流路Ｓ２ａの空気流を円滑化でき、さらに排気効率を向上できる。
【００２５】
上ケース２０Ａは、底壁部２３と対向しケース２０の上面を構成する上壁部２４を有している（図４参照）。図６に示すように、電源回路基板１１はケース２０の下部に配置されている。電源回路基板１１は底壁部２３と上壁部２４の双方から離れている。電源回路基板１１は、例えば底壁部２３に形成されるリブによって支持される。そのため、電源回路基板１１と底壁部２３との間に空気流路Ｓ２が形成され、電源回路基板１１と上壁部２４との間に空気流路Ｓ３が形成される。空気流路Ｓ２は、下端ルーバー２２Ａの下側に形成される上述した空気流路Ｓ２ａに続いている。これにより、電源回路基板１１を、その下側を流れる空気によって効果的に冷却できる。この例では、電源回路基板１１は下端ルーバー２２Ａと概ね同じ高さに位置している。換言すると、電源回路基板１１と下端ルーバー２２Ａは前後方向において並んでいる。なお、電源回路を構成する電子部品は電源回路基板１１の上面に実装されている。それらの電子部品は、電源回路基板１１と上壁部２４との間に形成された空気流路Ｓ３の空気流によって冷却される。
【００２６】
図４に示すように、この例の下ケース２０Ｂには、上述の排気口２１よりも小さな排気口２５が形成されている。底壁部２３には、左右方向に延び且つ排気口２５に繋がる凹部２３ｂが形成されている。凹部２３ｂは排気口２５に繋がる空気流路を構成している。この空気流路を流れる空気により、電源回路基板１１さらに効果的に冷却できる。
【００２７】
図６に示すように，上述の空気流路Ｓ３ａはケース２０の上壁部２４と上端ルーバー２２Ｂとの間に形成されている。上壁部２４は排気口２１の上縁２１ｂに繋がっている。すなわち、上壁部２４の後縁が排気口２１の上縁２１ｂとして機能している。上壁部２４は上端ルーバー２２Ｂに沿って傾斜している。すなわち、上壁部２４は、上端ルーバー２２Ｂと同様に、後方且つ下方に斜めに延びている。そのため、空気流路Ｓ３ａの空気流を円滑化できる。
【００２８】
図６に示すように、上壁部２４は底壁部２３よりも大きく後方に張り出している。すなわち、上壁部２４の後縁（排気口２１の上縁２１ｂ）は、底壁部２３の後縁（排気口２１の下縁２１ａ）よりも後方に位置している。そして、上壁部２４の最後部は、下端ルーバー２２Ａと排気口２１の下縁２１ａとの間の隙間に対して斜め上方に位置している。その結果、その隙間から塵などがケース２０内に入ることを、上壁部２４の最後部によって抑えることができる。
【００２９】
図６に示すように、上壁部２４と上端ルーバー２２Ｂとの距離Ｗ１は、互いに隣接する他の２つのルーバー２２の距離Ｗ２よりも大きい。これにより、ケース２０から効率良く空気を排出できる。すなわち、ヒートシンク５２，５３を通り過ぎることにより暖められた空気は、ケース２０の上部を流れる。そのため、上壁部２４と上端ルーバー２２Ｂとの距離Ｗ１を大きくすることにより、ケース２０から空気を効率良く排出できる。
【００３０】
また、この例では、上端ルーバー２２Ｂと、その下側のルーバー２２との距離Ｗ３も、距離Ｗ２よりも大きい。そのため、さらに空気の排出効率を向上できる。なお、上端ルーバー２２Ｂは他のルーバー２２よりも大きく後方に延びている。これにより、距離Ｗ３を大きくしながら、上端ルーバー２２Ｂとその下側のルーバー２２との間から電源回路基板１１が露出することを抑えることができている。
【００３１】
図４に示すように、排気口２１の内側には、上下方向において立つ姿勢の複数の支持壁部２６が形成されている。ルーバー２２は支持壁部２６によって支持されている。複数の支持壁部２６は左右方向において互いに間隔を空けて並んでいる。各ルーバー２２は隣接する２つの支持壁部２６の間に形成されている。支持壁部２６は、排気口２１の縁２１ａ，２１ｂに向かって（すなわちケース２０の外側に向かって）、ルーバー２２の外側縁２２ｂを越えて張り出している。すなわち、図６に示すように、支持壁部２６の後縁２６ａはルーバー２２の外側縁２２ｂよりも排気口２１の縁２１ａ，２１ｂ寄りに位置している。これにより、排気口２１の強度を向上できる。詳細には、ケース２０の上側から作用する力に対するケース２０の強度を向上できる。支持壁部２６の下端は底壁部２３に当っている。この例の支持壁部２６の下端は底壁部２３の傾斜部２３ａに当っている。
【００３２】
図４及び図６に示すように、下ケース２０Ｂの底壁部２３の後縁には、下方に突出し且つ下ハウジング６２の内側に位置する突出部２３ｃが形成されている。一方、下ハウジング６２には、突出部２３ｃが嵌る係合部６２ｂが形成されている。係合部６２ｂは突出部２３ｃに対して後方に動くことが規制されるように突出部２３ｃと係合している。電子機器１の後部を上下方向において挟む力が作用した場合、下ハウジング６２の後壁６２ｄが後方に傾斜する場合がある。係合部６２ｂが突出部２３ｃに係合することにより、下ハウジング６２の後壁６２ｄのそのような動きが規制される。
【００３３】
上述したように、電源回路基板１１には電源インレット１２が接続されている。この例の電源インレット１２はケース２０に対する変位が可能となるように当該ケース２０によって支持される。この例では、図４に示すように、下ケース２０Ｂは、電源インレット１２を収容する箱状の収容部２０ｃを有している。収容部２０ｃは、電源インレット１２がその内側で動くことができるサイズを有している。具体的には、この例の収容部２０ｃは電源インレット１２よりも大きな左右方向の幅を有している。この例の収容部２０ｃは上側及び後側が開いた箱状である。電源インレット１２は上側から収容部２０ｃに入れられる。
【００３４】
電源インレット１２の位置は下ハウジング６２によって規定されている。図７は下ハウジング６２の要部の平面図である。同図には下ハウジング６２によって位置決めされた状態にある電源インレット１２が模式的に示されている。
【００３５】
電源インレット１２は部分的に収容部２０ｃの外側に位置し、その外側に位置する部分が下ハウジング６２で位置決めされる。この例では、図５に示すように、電源インレット１２の後部１２ｂは収容部２０ｃから後方に突出している。下ハウジング６２は、上述したように、排気口２１が嵌る開口６０ｂを構成する凹部６２ａを有している（図３参照）。さらに凹部６２ａの縁には、電源インレット１２の後部１２ｂが内側に嵌る凹部６２ｃが形成されている（図３及び図７参照）。左右方向での電源インレット１２の位置はこの凹部６２ｃの縁によって規定されている。また、図４及び図７に示すように、電源インレット１２の後部１２ｂには右方向及び左方向にそれぞれ張り出すリブ１２ｃが形成されている。一方、下ハウジング６２には各リブ１２ｃを前後方向において挟むリブ６２ｅ，６２ｆが形成されている。このリブ６２ｅ，６２ｆによって電源インレット１２の前後方向の位置が規定されている。このように、電源インレット１２の位置をケース２０ではなくハウジング６０で規定することにより、ハウジング６０に対する電源インレット１２の位置づれが抑えられ、電源インレット１２の周りに隙間が生じることを防ぐことができる。なお、電源インレット１２の上下動は上ケース２０Ａに形成された下端ルーバー２２Ａの下縁（すなわち上述した外側縁２２ｂ）と収容部２０ｃの底部とによって規制される。
【００３６】
以上説明したように、ケース２０には、ケース２０の後側に向かって開いている排気口２１が形成されている。排気口２１には、上下方向において間隔を空けて並び、それぞれが前後方向に対して傾斜している複数のルーバー２２が設けられている。排気口２１の縁は、その一部に下縁２１ａを有している。複数のルーバー２２のなかで下端に位置する下端ルーバー２２Ａは、排気口２１の下縁２１ａからケース２０の内側に向かって前後方向において離れている。下端ルーバー２２Ａの下側には空気流路Ｓ２ａが形成されている。空気流路Ｓ２ａは、下端ルーバー２２Ａと排気口２１の下縁２１ａとの間とを通ってケース２０の外側と連通している。この構造によれば、空気流路Ｓ２ａから空気を排出できるので、排気効率を向上できる。また、空気流路Ｓ２ａを通して電源回路基板１１が露出することを抑えることができる。
【００３７】
また、下端ルーバー２２Ａは排気口２１の下縁２１ａと前後方向において重なるように位置している。これによれば、空気流路Ｓ２ａを通して電源回路基板１１が露出することを、さらに効果的に抑えることができる。
【００３８】
また、通気口２１の縁は上縁２１ｂを有している。複数のルーバー２２のうち上端に位置する上端ルーバー２２Ｂの上側には空気流路Ｓ３ａが形成されている。また、上端ルーバー２２Ｂは上縁２１ｂよりもケース２０の内側に位置し、且つ通気口２１の上縁２１ｂから前後方向において離れている。これによれば、排気効率をさらに向上しながら、空気流路Ｓ３ａを通して電源回路基板１１が露出することを抑えることができる。
【００３９】
電源回路基板１１は底壁部２３と上壁部２４の双方から離れて配置されている。これによれば、電源回路基板１１の上側と下側の双方に空気流が形成されるので、電源回路基板１１に対する冷却性能を向上できる。
【００４０】
また、上壁部２４は底壁部２３に比してケース２０の後側に向かって大きく張り出している。そのため、下端ルーバー２２Ａと排気口２１の下縁２１ａとの間の隙間から塵などが入ることを抑えることができる。
【００４１】
また、ハウジング６０には、ケース２０の排気口２１の周縁が内側に嵌る開口６０ｂが形成されている。これにより、ケース２０の排気効率をさらに向上できる。
【００４２】
また、排気口２１には、上下方向において立ち、複数のルーバー２２を支持する支持壁部２６が設けられている。支持壁部２６は複数のルーバー２２を越えて排気口２１の周縁に向かって張り出している。これによれば、排気口２１の強度を向上できる。
【００４３】
なお、本発明は以上説明した電子機器１に限られず、種々の変更がなされてもよい。
【００４４】
例えば、排気口２１が開く方向は必ずしも後方に限られず、ケース２０の右方向や左方向に開いてもよい。
【００４５】
また、上端ルーバー２２Ｂは必ずしも、他のルーバー２２に比して大きく伸びていなくてもよい。
【００４６】
また、排気口２１のサイズが小さい場合には、支持壁部２６は必ずしも設けられていなくてもよい。
【００４７】
電源回路基板１１と下ケース２０Ｂの底壁部２３との間の隙間は必ずしも無くてもよい。
【符号の説明】
【００４８】
１  電子機器、３  回路基板、１０  電源ユニット、１１  電源回路基板、１２  電源インレット、２０  ケース、２０Ａ  上ケース、２０Ｂ  下ケース、２２  ルーバー、２２Ａ  下端ルーバー、２２Ｂ  上端ルーバー、２６  支持壁部、５０  冷却ユニット、５１  冷却ファン、５４  カバー、６０  ハウジング、Ｓ２ａ，Ｓ３ａ  空気流路。
【図１】
0005882818.tif 000002
【図２】
0005882818.tif 000003
【図３】
0005882818.tif 000004
【図４】
0005882818.tif 000005
【図５】
0005882818.tif 000006
【図６】
0005882818.tif 000007
【図７】
0005882818.tif 000008